(57)【特許請求の範囲】
【請求項１】
遊技球の侵入可能な入球口が正面側に形成された本体と、それぞれが前記本体に回動可能に取り付けられ、前記入球口の上方において互いに相反する方向へ回動することで、前記入球口への通路を、遊技球が侵入可能な開状態または遊技球が侵入不能な閉状態に変化させる左右一対の開閉部材と、該開閉部材を回動させる駆動手段とを備えた弾球遊技機の入賞装置において、
前記開閉部材のそれぞれが、正面側から背面側へ延びる軸線を回転中心として回転する軸部、該軸部から遠心方向へ延出された延出部、および該延出部から正面側へ突出する突出部を有する形状で、前記軸部および前記延出部の正面側は前記遊技球が通過可能になっていて、前記突出部の内周面は円筒体の一部分に相当する形状とされ、該円筒体の中心と前記軸線とを一致させるように形成してあり、
しかも、前記円筒体の内側に、上方から落下してくる遊技球を上面側で受けて、その遊技球を前記入球口へと案内する球受け部材が設けられていて、
前記開閉部材を回動させて前記入球口への通路を前記閉状態から前記開状態へ変化させる際には、前記突出部は、所定の位置から変位しない状態にある前記球受け部材の外縁に沿って回動することにより、前記球受け部材の下面側へと変位可能な構造になっている
ことを特徴とする弾球遊技機の入賞装置。
【請求項２】
前記軸部および前記延出部の正面側に、該軸部および延出部を覆うカバーが配置されている
ことを特徴とする請求項１に記載の弾球遊技機の入賞装置。
【請求項３】
前記一対の軸部が、前記入球口の上方において前記遊技球の直径よりも狭い間隔で配置されている
ことを特徴とする請求項１または請求項２に記載の弾球遊技機の入賞装置。
【発明の詳細な説明】
【０００１】
【発明の属する技術分野】
本発明は、弾球遊技機の入賞装置に関する。
【０００２】
【従来の技術】
従来から、パチンコ機に代表される弾球遊技機には、種々の入賞装置が設けられているが、その一つとして、「チューリップ」と呼ばれるタイプの入賞装置が知られている。
【０００３】
このチューリップ型の入賞装置は、左右一対の開閉部材を備えており、この開閉部材が下端側を軸にして互いに相反する方向へ回動することにより、開閉部材の上端側がなす間隙の広狭を変化させて、遊技球の入球確率を変化させるものである。このようなチューリップ型の入賞装置において、遊技球は一対の開閉部材の間を通って入球口に到達するので、開閉部材の下端側は、遊技球の直径よりも僅かに広い間隙をなすような間隔で配置されるのが一般的である。
【０００４】
【発明が解決しようとする課題】
しかしながら、従来のチューリップ型の入賞装置は、開閉部材の上端側がなす間隙を拡げた場合に、その間隙が上端側で広くて下端側で狭い状態になるため、この間隙に２個以上の遊技球が突入すると、開閉部材の下端側で遊技球が詰まってしまう場合があった。そして、一旦そのような状況に陥ると、開閉部材が動作不能になってうため、さらにそこへ遊技球が積もってしまい、正常な遊技を継続できなくなる恐れがあった。
【０００５】
本発明は、このような問題を解決するためになされたものであり、その目的は、従来のチューリップ型入賞装置と同等な機能を備えながら、より遊技球が詰まりにくい入賞装置を提供することにある。
【０００６】
【課題を解決するための手段、および発明の効果】
上述の目的を達成するために、請求項１に記載の発明は、
遊技球の侵入可能な入球口が正面側に形成された本体と、それぞれが前記本体に回動可能に取り付けられ、前記入球口の上方において互いに相反する方向へ回動することで、前記入球口への通路を、遊技球が侵入可能な開状態または遊技球が侵入不能な閉状態に変化させる左右一対の開閉部材と、該開閉部材を回動させる駆動手段とを備えた弾球遊技機の入賞装置において、
前記開閉部材のそれぞれが、正面側から背面側へ延びる軸線を回転中心として回転する軸部、該軸部から遠心方向へ延出された延出部、および該延出部から正面側へ突出する突出部を有する形状で、前記軸部および前記延出部の正面側は前記遊技球が通過可能になっていて、前記突出部の内周面は円筒体の一部分に相当する形状とされ、該円筒体の中心と前記軸線とを一致させるように形成してあり、
しかも、前記円筒体の内側に、上方から落下してくる遊技球を上面側で受けて、その遊技球を前記入球口へと案内する球受け部材が設けられていて、
前記開閉部材を回動させて前記入球口への通路を前記閉状態から前記開状態へ変化させる際には、前記突出部は、所定の位置から変位しない状態にある前記球受け部材の外縁に沿って回動することにより、前記球受け部材の下面側へと変位可能な構造になっている
ことを特徴とする。
【０００７】
この弾球遊技機の入賞装置によれば、一対の突出部によって入球口への通路をなしており、開閉部材の作動に伴って、入球口への通路は、遊技球が侵入可能な開状態または遊技球が侵入不能な閉状態に変化するので、従来のチューリップ型入賞装置と同等な機能を有するものとなる。
しかも、軸部および延出部の正面側は遊技球が通過可能になっているため、突出部のなす間隙を通り抜けた遊技球は、軸部および延出部の正面側を通って入球口に到達可能である。したがって、従来のチューリップ型入賞装置のように、開閉部材の下端ほど間隙が狭まってゆくといったことはなく、開閉部材のなす間隙に２個以上の遊技球がまとめて突入した場合でも、開閉部材の下端側で遊技球が詰まったり、それに伴い開閉部材が動けなくなったりするといったことがない。
【０００８】
また、突出部の内周面は円筒体の一部分に相当する形状とされ、該円筒体の中心と前記軸線とを一致させるように形成してあり、しかも、前記円筒体の内側に、上方から落下してくる遊技球を上面側で受けて、その遊技球を前記入球口へと案内する球受け部材が設けられていて、前記開閉部材を回動させて前記入球口への通路を前記閉状態から前記開状態へ変化させる際には、前記突出部は、所定の位置から変位しない状態にある前記球受け部材の外縁に沿って回動することにより、前記球受け部材の下面側へと変位可能な構造になっている。
【０００９】
このような構造になっていれば、上記のような形状の突出部が上記のような位置に形成してあるので、開閉部材が回動する際には、突出部に囲まれる空間内にある球受け部材の外縁に沿って突出部が変位する。したがって、突出部に囲まれる空間が狭まる方向へ突出部が変位するものに比べ、突出部が遊技球を挟み込んでしまう可能性が低くなり、より一層、遊技球が詰まりにくくなるという効果がある。
【００１０】
次に、請求項２に記載の弾球遊技機の入賞装置は、
前記軸部および前記延出部の正面側に、該軸部および延出部を覆うカバーが配置されている
ことを特徴とする。
【００１１】
この弾球遊技機の入賞装置によれば、軸部および延出部はカバーに覆われているので、軸部および延出部が遊技球を挟み込んでしまう可能性はなく、より一層、遊技球が詰まりにくくなるという効果がある。また、正面側からは突出部の動きだけが見えるので、目に見える可動部分の動きが、従来のチューリップ型入賞装置とは異なるものとなるので、従来品とは異なる印象の遊技機を構成できる。
【００１２】
次に、請求項３に記載の弾球遊技機の入賞装置は、
前記一対の軸部が、前記入球口の上方において前記遊技球の直径よりも狭い間隔で配置されている
ことを特徴とする。
【００１３】
この弾球遊技機の入賞装置によれば、一対の軸部が、入球口の上方において遊技球の直径よりも狭い間隔で配置されているので、入賞装置の横幅を従来品よりコンパクトにすることができる。
なお、このように軸部を遊技球の直径よりも狭い間隔で配置できるのは、請求項１に記載の構成を備えているからである。すなわち、従来のチューリップ型入賞装置の場合は、両側にある開閉部材の間を遊技球が通過して入球口に至るため、軸部を遊技球の直径よりも狭い間隔で配置することはできなかったが、請求項１に記載の構成を備えている場合、軸部および延出部の正面側は遊技球が通過可能になっているので、軸部を遊技球の直径よりも狭い間隔で配置しても、軸部が遊技球の動きを妨げないのである。
【００１４】
【発明の実施の形態】
次に、本発明の実施形態について一例を挙げて説明する。
図１に示すように、入賞装置１は、遊技球の侵入可能な第１入球口３が正面側に形成された本体５と、それぞれが本体５に回動可能に取り付けられ、第１入球口３の上方において第１入球口３への通路となる間隙をなす左右一対の開閉部材７，８と、開閉部材７，８を回動させるソレノイド９とを備えている。
【００１５】
開閉部材７，８は、互いに相反する方向へ回動するもので、ソレノイド９に駆動電力を与えていない場合、開閉部材７，８は図１に示す閉位置にあり、遊技球は第１入球口３へ侵入不能な状態となる。一方、ソレノイド９に駆動電力を与えた場合、開閉部材７，８は図２に示す開位置まで変位し、遊技球が第１入球口３へ侵入自在となる。
【００１６】
次に、入賞装置１の内部機構について詳細に説明する。
本体５は、図３に示すように、球受け部材２１、カバー２３、正面部品２５、電飾基板２７、および背面部品２９を、この順序で正面側から重ねて、ネジ止めあるいは嵌め合わせによって組み立てた構造になっている。球受け部材２１は、上方から落下してくる遊技球を上面側で受けて、その遊技球を中央部の第１入球口３へと案内する部材である。カバー２３は、第１入球口３となる切欠部２３ａを有する形状で、正面部品２５との間に開閉部材７，８を挟み込むようにして、開閉部材７，８の正面側に配置される部材である。正面部品２５は、開閉部材７，８を回動可能に支持する軸受穴２５ａや、鍔状に延出された遊技盤への取付部２５ｂ、第１入球口３へ侵入した遊技球を通して装置下方の排出口（図示略）へと導く通出路２５ｃなどを備え、第２入球口１１なども備えている。電飾基板２７は、３つの電球２７ａおよびプリント配線板２７ｂなどからなる。背面部品２９は、背面側に突出する一対の支持板２９ａを有し、この支持板２９ａ間にソレノイド９がネジ止めにより装着されている。
【００１７】
このように構成された本体５の内部には、さらに、開閉部材７，８を動作させるための可動機構が組み込まれている。より詳しく説明すると、開閉部材７，８は、正面側から背面側へ延びる軸線を回転中心として回転する軸部３１、軸部３１から遠心方向へ延出された延出部３３、延出部３３から正面側へ突出する突出部３５を有する形状とされている。この内、軸部３１には金属軸３７の一端が嵌め込まれ、金属軸３７の他端にはレバー部材３９が嵌め込まれている。レバー部材３９は、回転中心となる金属軸３７から偏った位置に偏心軸３９ａを有し、この偏心軸３９ａが背面部品２９の穴２９ｂを通り抜けて、スライド部材４１に遊嵌している。スライド部材４１は、背面部品２９と金属板４３に規制されて上下方向へのみ移動可能な状態にあるもので、しかも、ソレノイド９のプランジャ９ａに連結されており、ソレノイド９からの力で上下に駆動されるようになっている。なお、金属板４３は、ソレノイド９と背面部品２９との間に挟み込まれて固定され、スライド部材４１は、背面部品２９側に形成された凹部と金属板４３のなす間隙内に配置されている。
【００１８】
このような可動機構において、ソレノイド９に電力が供給されると、ソレノイド９のプランジャ９ａが、自重およびスプリング９ｂの付勢力に抗して上昇し、それに伴い、スライド部材４１が上昇する。スライド部材４１が上昇すると、それに伴い、レバー部材３９の偏心軸３９ａも上昇し、レバー部材３９は金属軸３７を中心にして金属軸３７とともに回動する。金属軸３７が回動すると、金属軸３７に固定された開閉部材７，８も回動し、その結果、開閉部材７，８が、閉位置（図１参照）から開位置（図２参照）へと変位することになる。なお、ソレノイド９への電力供給が遮断されると、ソレノイド９のプランジャ９ａが、自重およびスプリング９ｂの付勢力によって下降し、各部が上記とは逆に動き、最終的に、開閉部材７，８が、開位置（図２参照）から閉位置（図１参照）へと変位することになる。
【００１９】
以上のように構成された入賞装置１は、一対の突出部３５によって第１入球口３への通路となる間隙をなしており、この間隙の広狭が開閉部材７，８の作動に伴って変化するので、従来のチューリップ型入賞装置と同等な機能を有するものとなる。しかも、軸部３１および延出部３３の正面側にはカバー２３が配置され、そのカバー２３の正面側には、遊技球の通過可能な空間が確保されているため、突出部３５のなす間隙を通り抜けた遊技球は、軸部３１および延出部３３の正面側（カバー２３の正面側）を通って入球口に到達可能である。したがって、従来のチューリップ型入賞装置のように、開閉部材の下端ほど間隙が狭まってゆくといったことはなく、開閉部材のなす間隙に２個以上の遊技球がまとめて突入した場合でも、開閉部材の下端側で遊技球が詰まったり、それに伴い開閉部材が動けなくなったりするといったことがない。
【００２０】
また、この開閉部材７，８の場合、突出部３５が、円筒体の一部分に相当する形状とされ、円筒体の中心となる軸線を開閉部材７，８の回転中心に一致させてある。そのため、開閉部材７，８が回動する際には、突出部３５に囲まれる空間の外周に沿って突出部３５が変位し、突出部３５に囲まれる空間が狭まる方向へ突出部３５が変位することはないので、突出部３５が遊技球を挟み込んでしまう可能性はほとんどない。
【００２１】
さらに、この入賞装置１においては、軸部３１および延出部３３の正面側に上述のカバー２３が配置されているので、軸部３１および延出部３３が遊技球を挟み込んでしまう可能性はまったくない。また、このようなカバー２３が設けてあると、正面側からは突出部３５の動きだけが見えるので、目に見える可動部分の動きが、従来のチューリップ型入賞装置とは異なるものとなり、従来品とは異なる印象の遊技機を構成できる。
【００２２】
加えて、この入賞装置１においては、一対の軸部３１が、第１入球口３の上方において遊技球の直径よりも狭い間隔で配置されているので、軸部３１間に遊技球の通過するスペースを確保した場合に比べ、入賞装置１の横幅をコンパクトにすることができる。
【００２３】
以上、本発明の実施形態について説明したが、本発明の実施形態については上記のもの以外にも種々の具体的形態が考えられる。
例えば、上記実施形態においては、開閉部材７，８が間隙をなす位置に第２入球口１１を設けてあったので、開閉部材７，８が閉位置にある場合、開閉部材７，８のなす間隙はちょうど第２入球口１１によって塞がれていたが、第２入球口１１は必ずしも設けなくてもよい。
【００２５】
なお、本発明の入賞装置は、弾球遊技機の遊技盤に装着して利用されるものであり、この弾球遊技機としてはパチンコ機が最も一般的であるが、パチンコ機の他、アレンジボールやその他の弾球遊技機であっても、本発明の入賞装置を装着可能である。
【図面の簡単な説明】
【図１】  本発明の実施形態として示した入賞装置の図であり、開閉部材が閉位置にある状態を表した斜視図である。
【図２】  本発明の実施形態として示した入賞装置の図であり、開閉部材が開位置にある状態を表した斜視図である。
【図３】  本発明の実施形態として示した入賞装置を分解した状態を表した斜視図である。
【符号の説明】
１・・・入賞装置、３・・・第１入球口、５・・・本体、７・・・開閉部材、９・・・ソレノイド、９ａ・・・プランジャ、９ｂ・・・スプリング、１１・・・第２入球口、２１・・・球受け部材、２３・・・カバー、２５・・・正面部品、２７・・・電飾基板、２９・・・背面部品、３１・・・軸部、３３・・・延出部、３５・・・突出部、３７・・・金属軸、３９・・・レバー部材、３９ａ・・・偏心軸、４１・・・スライド部材、４３・・・金属板。
【図１】
0004222666.tif 000002
【図２】
0004222666.tif 000003
【図３】
0004222666.tif 000004